【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ステージに載置された標本に前記ステージの下方から落射照明光を照射する落射蛍光照明光学系と、
前記ステージに載置された前記標本に前記ステージの上方から透過照明光を照射する透過照明光学系と、
前記ステージの下方に配置されてなり、前記落射照明光を前記標本に集光する対物レンズと、
前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部と、
を備えることを特徴とする倒立顕微鏡。
【請求項２】
前記遮光部は、前記遮光位置と、前記遮光部の全体が前記透過照明光学系から照射される前記透過照明光が通過する領域の外側まで退避する退避位置と、の間を移動可能であることを特徴とする請求項１に記載の倒立顕微鏡。
【請求項３】
前記遮光部は、当該遮光部を前記遮光位置及び前記退避位置に位置決めする第一の位置決め部を有することを特徴とする請求項２に記載の倒立顕微鏡。
【請求項４】
前記遮光部は、
当該倒立顕微鏡の前記観察光軸に沿った方向に移動可能であり、
当該遮光部が移動可能な範囲において当該遮光部を位置決めする第二の位置決め部を有し、
当該遮光部が移動可能な範囲の少なくとも一部で、前記遮光位置に配置可能であることを特徴とする請求項１〜３のいずれか１つに記載の倒立顕微鏡。
【請求項５】
前記遮光部は、円盤状をなし、該円盤の主面が当該倒立顕微鏡の前記観察光軸に直交するように配置されており、
前記遮光部の半径Ｒは、前記対物レンズの前記開口角をθ、前記対物レンズの口径半径をｒ、前記遮光位置における前記遮光部と前記対物レンズとの当該倒立顕微鏡の前記観察光軸に沿った方向における距離をｓ、とすると、Ｒ≧ｒ＋ｓｔａｎθを満たすことを特徴とする請求項１〜４のいずれか１つに記載の倒立顕微鏡。
【請求項６】
前記透過照明光学系は、励起光を発する固体発光素子と、該固体発光素子から照射される励起光によって蛍光を発する蛍光体と、を有する光源を含むことを特徴とする請求項１〜５のいずれか１つに記載の倒立顕微鏡。
【請求項７】
前記光源は、蛍光体を有する白色ＬＥＤであることを特徴とする請求項６に記載の倒立顕微鏡。
【請求項８】
前記遮光部は、当該倒立顕微鏡に対して固定部材を介して着脱自在に固定されることを特徴とする請求項１〜７のいずれか１つに記載の倒立顕微鏡。
【請求項９】
前記遮光部は、前記観察光軸から挿抜する操作時に持ち手となる突起部を有することを特徴とする請求項１〜８のいずれか１つに記載の倒立顕微鏡。
【請求項１０】
ステージに載置された標本に前記ステージの下方から落射照明光を照射する落射蛍光照明光学系と、
前記ステージに載置された前記標本に前記ステージの上方から透過照明光を照射する透過照明光学系と、
前記ステージの下方に配置されてなり、前記落射照明光を前記標本に集光する対物レンズと、
を備える倒立顕微鏡に取り付けられる倒立顕微鏡用遮光装置であって、
前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部を有することを特徴とする倒立顕微鏡用遮光装置。
【請求項１１】
前記遮光部は、当該遮光部を、前記遮光位置と、前記遮光部の全体が前記透過照明光学系から照射される前記透過照明光が通過する領域の外側まで退避する退避位置と、に位置決めする第一の位置決め部を有することを特徴とする請求項１０に記載の倒立顕微鏡用遮光装置。
【請求項１２】
ステージに載置された標本に前記ステージの下方から落射照明光を照射する落射蛍光照明光学系と、
前記ステージに載置された前記標本に前記ステージの上方から蛍光体を有する白色ＬＥＤによる透過照明光を照射する透過照明光学系と、
前記ステージの下方に配置されてなり、前記落射照明光を前記標本に集光する対物レンズと、
前記ステージと前記透過照明光学系との間に当該倒立顕微鏡の観察光軸に前記ステージに非接触状態で挿脱自在に配置されてなる遮光部と、を備え、
前記遮光部は、
主面が板状の形状をなし、前記の主面が当該倒立顕微鏡の前記観察光軸に直交するように配置されており、
当該遮光部を、前記対物レンズに上方から入射する光を遮光する遮光位置と前記遮光部の全体が前記透過照明光学系から照射される前記透過照明光が通過する領域の外側まで退避する退避位置とに位置決めする第一の位置決め部を有し、
前記遮光位置に位置する前記遮光部における前記観察光軸の中心位置から、前記遮光部の端部までの最大の距離Ｒは、前記対物レンズの開口角をθ、前記対物レンズの口径半径をｒ、前記遮光部と前記対物レンズとの当該倒立顕微鏡の前記観察光軸に沿った方向における距離をｓ、とすると、Ｒ≧ｒ＋ｓｔａｎθを満たすことを特徴とする倒立顕微鏡。
【手続補正２】
【補正対象書類名】明細書
【補正対象項目名】０００７
【補正方法】変更
【補正の内容】
【０００７】
上述した課題を解決し、目的を達成するために、本発明の一態様に係る倒立顕微鏡は、ステージに載置された標本に前記ステージの下方から落射照明光を照射する落射蛍光照明光学系と、前記ステージに載置された前記標本に前記ステージの上方から透過照明光を照射する透過照明光学系と、前記ステージの下方に配置されてなり、前記落射照明光を前記標本に集光する対物レンズと、前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部と、を備えることを特徴とする。
【手続補正３】
【補正対象書類名】明細書
【補正対象項目名】０００８
【補正方法】変更
【補正の内容】
【０００８】
また、本発明の一態様に係る倒立顕微鏡は、前記遮光部は、前記遮光位置と、前記遮光部の全体が前記透過照明光学系から照射される前記透過照明光が通過する領域の外側まで退避する退避位置と、の間を移動可能であることを特徴とする。
また、本発明の一態様に係る倒立顕微鏡は、前記遮光部は、当該遮光部を前記遮光位置及び前記退避位置に位置決めする第一の位置決め部を有することを特徴とする。
【手続補正４】
【補正対象書類名】明細書
【補正対象項目名】０００９
【補正方法】変更
【補正の内容】
【０００９】
また、本発明の一態様に係る倒立顕微鏡は、前記遮光部は、当該倒立顕微鏡の前記観察光軸に沿った方向に移動可能であり、当該遮光部が移動可能な範囲において当該遮光部を位置決めする第二の位置決め部を有し、当該遮光部が移動可能な範囲の少なくとも一部で、前記遮光位置に配置可能であることを特徴とする。
【手続補正５】
【補正対象書類名】明細書
【補正対象項目名】００１０
【補正方法】変更
【補正の内容】
【００１０】
また、本発明の一態様に係る倒立顕微鏡は、前記遮光部は、円盤状をなし、該円盤の主面が当該倒立顕微鏡の前記観察光軸に直交するように配置されており、前記遮光部の半径Ｒは、前記対物レンズの前記開口角をθ、前記対物レンズの口径半径をｒ、前記遮光位置における前記遮光部と前記対物レンズとの当該倒立顕微鏡の前記観察光軸に沿った方向における距離をｓ、とすると、Ｒ≧ｒ＋ｓｔａｎθを満たすことを特徴とする。
【手続補正６】
【補正対象書類名】明細書
【補正対象項目名】００１１
【補正方法】変更
【補正の内容】
【００１１】
また、本発明の一態様に係る倒立顕微鏡は、前記透過照明光学系は、励起光を発する固体発光素子と、該固体発光素子から照射される励起光によって蛍光を発する蛍光体と、を有する光源を含むことを特徴とする。
また、本発明の一態様に係る倒立顕微鏡は、前記光源は、蛍光体を有する白色ＬＥＤであることを特徴とする。
また、本発明の一態様に係る倒立顕微鏡は、前記遮光部は、当該倒立顕微鏡に対して固定部材を介して着脱自在に固定されることを特徴とする。
また、本発明の一態様に係る倒立顕微鏡は、前記遮光部は、前記観察光軸から挿抜する操作時に持ち手となる突起部を有することを特徴とする。
【手続補正７】
【補正対象書類名】明細書
【補正対象項目名】００１２
【補正方法】変更
【補正の内容】
【００１２】
また、本発明の一態様に係る倒立顕微鏡用遮光装置は、ステージに載置された標本に前記ステージの下方から落射照明光を照射する落射蛍光照明光学系と、前記ステージに載置された前記標本に前記ステージの上方から透過照明光を照射する透過照明光学系と、前記ステージの下方に配置されてなり、前記落射照明光を前記標本に集光する対物レンズと、を備える倒立顕微鏡に取り付けられる倒立顕微鏡用遮光装置であって、前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部を有することを特徴とする。
また、本発明の一態様に係る倒立顕微鏡用遮光装置は、前記遮光部は、当該遮光部を、前記遮光位置と、前記遮光部の全体が前記透過照明光学系から照射される前記透過照明光が通過する領域の外側まで退避する退避位置と、に位置決めする第一の位置決め部を有することを特徴とする。
また、本発明の一態様に係る倒立顕微鏡は、ステージに載置された標本に前記ステージの下方から落射照明光を照射する落射蛍光照明光学系と、前記ステージに載置された前記標本に前記ステージの上方から蛍光体を有する白色ＬＥＤによる透過照明光を照射する透過照明光学系と、前記ステージの下方に配置されてなり、前記落射照明光を前記標本に集光する対物レンズと、前記ステージと前記透過照明光学系との間に当該倒立顕微鏡の観察光軸に前記ステージに非接触状態で挿脱自在に配置されてなる遮光部と、を備え、前記遮光部は、主面が板状の形状をなし、前記の主面が当該倒立顕微鏡の前記観察光軸に直交するように配置されており、当該遮光部を、前記対物レンズに上方から入射する光を遮光する遮光位置と前記遮光部の全体が前記透過照明光学系から照射される前記透過照明光が通過する領域の外側まで退避する退避位置とに位置決めする第一の位置決め部を有し、前記遮光位置に位置する前記遮光部における前記観察光軸の中心位置から、前記遮光部の端部までの最大の距離Ｒは、前記対物レンズの開口角をθ、前記対物レンズの口径半径をｒ、前記遮光部と前記対物レンズとの当該倒立顕微鏡の前記観察光軸に沿った方向における距離をｓ、とすると、Ｒ≧ｒ＋ｓｔａｎθを満たすことを特徴とする。